(57)【要約】【課題】簡素な機構にも関わらず堆積物の掻寄と連動して浮上物を効果的に掻き寄せることを可能とする堆積物及び浮上物の掻寄装置を提供する。【解決手段】堆積物及び浮上物の掻寄装置は、汚泥掻寄フライト１２を支持アーム２５を介して揺動可能に支持すると共に、槽底１０ｂに沿って往復動する掻寄架台３０と、水面１１に浮くことができ、水面１１のスカムを掻き寄せるスカム掻寄体４０と、支持アーム２５とスカム掻寄体４０とを連結する連結部材９０とを備える。この掻寄装置では、支持アーム２５の回動と連動してスカム掻寄体４０を浮沈させることで、水面１１のスカムの掻き寄せと掻き戻し防止を図ることができる。【選択図】図１
2008080203.tif 000002
【特許請求の範囲】
【請求項１】
槽底の堆積物を掻き寄せる堆積物掻寄羽根をアームを介して支持すると共に、槽底に沿って往復動する架台と、
水面に浮くことができ、水面上の浮上物を掻き寄せる浮上物掻寄体と、
前記アームと前記浮上物掻寄体とを連結する連結部材と、を備え、
前記アームが上方に移動して、前記堆積物掻寄羽根が堆積物を掻き寄せない退避位置に位置するときには、前記浮上物掻寄体が水面上に浮かび、
前記アームが下方に移動して、前記堆積物掻寄羽根が堆積物を掻き寄せる掻寄位置に位置するときには、前記浮上物掻寄体は前記連結部材に引かれて水面下に没することを特徴とする、堆積物及び浮上物の掻寄装置。
【請求項２】
前記連結部材は、
前記アームと前記浮上物掻寄体とを接続する紐状部材を含むことを特徴とする、請求項１に記載の堆積物及び浮上物の掻寄装置。
【請求項３】
前記連結部材は、
一端が前記アームに接続される棒状部材と、前記棒状部材の他端と前記浮上物掻寄体とを接続する紐状部材と、を含むことを特徴とする、請求項１に記載の堆積物及び浮上物の掻寄装置。
【請求項４】
前記浮上物掻寄体は、槽の短手方向に沿って延びていることを特徴とする、請求項１〜３のいずれかに記載の堆積物及び浮上物の掻寄装置。
【発明の詳細な説明】
【技術分野】
【０００１】
本発明は堆積物及び浮上物の掻寄装置に関するものである。
【背景技術】
【０００２】
汚水処理施設等の沈殿池の槽底に沈殿堆積した汚泥や水面を漂うスカムを一方向へ集めるため、フライトの往復運動によってこれらを掻き寄せるスカム掻寄機能付き汚泥掻寄装置が存在している。汚泥の掻寄において、往動時には汚泥掻寄動作を行い、復動時にはフライトが汚泥を掻き戻すことのないようにフライトを上部に退避させることにより掻き戻しを防いでいる。そして掻き寄せられた汚泥は、汚泥ピットの中に掻き寄せられ、回収される。また、同様にスカムの掻き寄せにおける往動時には、スカム掻寄動作を行い、復動時には、フライトがスカムを掻き戻すことのないようにフライトを水面下に水没あるいは水面上に上昇させるなどして水面から退避させることにより、掻き戻しを防いでいる。そしてスカムパイプへ掻き寄せることによってスカムの回収が行われる。
【０００３】
当該装置によって、汚泥およびスカムを一方向へ掻き寄せると共に、掻き戻し防止を実現しており、このような装置としては、例えば以下の特許文献１に開示されたものがある。この装置では、動力源の簡素化のために、汚泥掻寄装置とスカム掻寄装置とを駆動するための動力源を一つにすると共に、汚泥掻寄装置およびスカム掻寄装置とをリンクして連動させている。
【特許文献１】特開２００６−６１８７６号公報
【発明の開示】
【発明が解決しようとする課題】
【０００４】
しかし、上記したような従来のスカム掻寄機能付汚泥掻寄装置におけるスカム掻寄部分の構造は、スカム掻寄フライトをロッドなどからなる架台に取り付け、この架台ごと往復動させるものであり、しかもスカムの掻き戻しを防止するため、スカム掻寄フライトを水面上或いは水面下に退避させる複雑な機構が必要であった。これに対し、本来、水面上のスカムは非常に軽く、僅かな水流を水面に作る程度で掻き寄せることができるため、従来の仕組みでは費用対効果において設備過剰の面があり、コストがかかっている状況であった。
【０００５】
本発明は上記事情に鑑みてなされたものであり、簡素な機構にも関わらず堆積物の掻寄と連動して浮上物を効果的に掻き寄せることを可能とする堆積物及び浮上物の掻寄装置を提供しようというものである。
【課題を解決するための手段】
【０００６】
本発明に係る堆積物及び浮上物の掻寄装置は、槽底の堆積物を掻き寄せる堆積物掻寄羽根をアームを介して支持すると共に、槽底に沿って往復動する架台と、水面に浮くことができ、水面上の浮上物を掻き寄せる浮上物掻寄体と、アームと浮上物掻寄体とを連結する連結部材と、を備え、アームが上方に移動して、堆積物掻寄羽根が堆積物を掻き寄せない退避位置に位置するときには、浮上物掻寄体が水面上に浮かび、アームが下方に移動して、堆積物掻寄羽根が堆積物を掻き寄せる掻寄位置に位置するときには、浮上物掻寄体は連結部材に引かれて水面下に没することを特徴とする。
【０００７】
この装置では、堆積物掻寄羽根を支持するアームと浮上物掻寄体とを連結する連結部材により、架台の往復動に連動して浮上物掻寄体が往動方向と復動方向へ移動されると共に、往動時には浮上物掻寄体を水面下に水没させ、復動時には水面に浮上させて掻寄動作を行うことができる。このように、アームに連結部材を介して浮上物掻寄体を連結するという簡素な機構にも関わらず、堆積物の掻寄と連動しつつ水面の浮上物を一方向に効果的に掻き寄せることが可能となる。
【０００８】
本発明に係る堆積物及び浮上物の掻寄装置では、連結部材は、アームと浮上物掻寄体とを接続する紐状部材を含むことを特徴としてもよい。このようにすれば、連結部材を簡素化できると共に、堆積物の掻寄と連動した浮上物掻寄体の横方向への移動や、水面への浮上及び水中への退避動作を滑らかに行うことができる。
【０００９】
また、本発明に係る堆積物及び浮上物の掻寄装置では、連結部材は、一端がアームに接続される棒状部材と、棒状部材の他端と浮上物掻寄体とを接続する紐状部材と、を含むことを特徴としてもよい。
【００１０】
このようにすれば、堆積物を掻き寄せるためのアーム周辺の機構に紐状部材が絡むという事態を防止することができる。
【００１１】
また、本発明に係る堆積物及び浮上物の掻寄装置では、浮上物掻寄体は、槽の短手方向に沿って延びていることを特徴としてもよい。
【００１２】
このようにすれば、槽の水面全体について浮上物を効率的に掻き寄せることができる。
【発明の効果】
【００１３】
本発明によれば、簡素な機構にも関わらず堆積物の掻寄と連動して浮上物を効果的に掻き寄せることを可能とする堆積物及び浮上物の掻寄装置を提供することができる。
【発明を実施するための最良の形態】
【００１４】
以下、本発明による堆積物及び浮上物の掻寄装置の好適な実施形態について図を参照しながら詳細に説明する。なお、図面の説明において同一または相等要素には同一符号を付し、重複した説明は省略する。
【００１５】
図１は堆積物及び浮上物の掻寄装置を横方向から見た全体図であり、図２はこの掻寄装置を示す側面模式図であり、図１のＩＩ−ＩＩ線矢視図であり、図３は掻寄架台をガイドするガイドユニット近傍を示す拡大図である。
【００１６】
本実施形態の掻寄装置は、槽１０の槽底１０ｂに堆積する汚泥（堆積物）を汚泥ピット１０ａへ向けて掻き寄せる汚泥掻寄部１と、槽１０の水面１１に浮上するスカム（浮上物）を、スカムパイプ２０へ向けて掻き寄せるスカム掻寄部２とを有している。
【００１７】
汚泥掻寄部１は、汚泥を掻き寄せる汚泥掻寄フライト（堆積物掻寄羽根）１２を水平方向に複数一定間隔で揺動可能に支持する汚泥掻寄用の掻寄架台（架台）３０と、この掻寄架台３０を槽底１０ｂに沿って往復運動させる駆動装置５０とを備えている。なお、本実施形態では、汚泥ピット１０ａに向かう方向を往動方向とし、汚泥ピット１０ａから離れる方向を復動方向として説明する。
【００１８】
掻寄架台３０は、図１、図２に示すように、槽１０の長手方向に延在する二本の平行な駆動方向材２１と、駆動方向材２１に垂直に交差する形で一定の間隔ごとに設置された複数の平行材２２と、を有している。また、駆動方向材２１と平行材２２は、図３に示すように、各々に接続された結合板２１ａと結合板２２ａ同士をネジ固定されることで結合され、梯子型の形状をなしている。
【００１９】
この平行材２２の両端には、主ローラ２４が設置され、軸周りに回転することができる。また平行材２２の主ローラ２４より内側の両端には、支持アーム（アーム）２５が揺動可能に接続され、支持アーム２５の先には、槽底１０ｂに堆積した汚泥を掻き寄せるための汚泥掻寄フライト１２が設置されている。平行材２２に接続された結合板２２ａには、突起状のストッパ２６が設けられており、汚泥掻寄フライト１２は、平行材２２の鉛直下方に垂下した状態を第１揺動位置としたとき、汚泥の掻寄動作時に反作用のモーメントが働いても、その復動側（図１の右側）に揺動しないようになっている。
【００２０】
また、この支持アーム２５に設置された主ローラ２４の下側には、主ローラ２４の長さと同じ長さまで支持アーム２５から伸びたバー２３が設けられ、その先端にはバー２３の軸周りに回転可能な副ローラ２７が設けられている。バー２３及び副ローラ２７は、各支持アーム２５に設けられている。
【００２１】
駆動装置５０は、図１に示すように、正逆方向に回転可能なモータ５１を持つ駆動部分と、このモータ５１による動力を伝達するチェーン５２と、チェーン５２が接続されるスプロケット５３ａとスプロケット５３ｂを有している。掻寄架台３０の駆動方向材２１には、伝達された駆動力を水平方向の往復運動へと変換するためのラック２１ｂが設けられ、このラック２１ｂはスプロケット５３ｂと噛合されて、掻寄架台３０を図示左右方向に往復運動させる。このことにより、汚泥掻寄部１を往復動作させることができる。
【００２２】
また、汚泥掻寄部１は、図１〜図３に示すように、掻寄架台３０の往復方向に沿って槽１０の側壁に設けられたガイドユニット８０を備えている。ガイドユニット８０は、主ガイドレール８２と副ガイドレール８３とを有している。主ガイドレール８２は、略コ字状の断面を有し、その溝は、掻寄架台３０の方向に向けて開口している。主ローラ２４は、主ガイドレール８２に常時はまった状態で往復動作することができ、それにより汚泥掻寄フライト１２を往復動作させ、汚泥の掻寄動作を行うことができる。この主ガイドレール８２の槽底１０ｂからの高さは、図２及び図３に示すように、掻寄架台３０の支持アーム２５が第１の揺動位置にあるときに、汚泥掻寄フライト１２の下端がほぼ槽底１０ｂに達するような高さとされている。なお、副ガイドレール上面を主ガイドレールとして使用し、主ガイドレールを省略してもよい。
【００２３】
副ガイドレール８３は、主ガイドレール８２のすぐ下に平行に存在して主ガイドレール８２と同様の略コ字状断面を有し、掻寄架台３０の方向に開口している。この副ガイドレール８３の底面からの高さは、支持アーム２５が第１の揺動位置とされた時の副ローラ２７の位置よりも高く設定され、後述する下側案内フラップ８５を介して支持アーム２５の副ローラ２７を副ガイドレール８３の溝内に収容し（図３の仮想線）、案内可能となっている。
【００２４】
また、副ガイドレール８３の下側フランジ８３ａには、図１及び図４に示すとおり、下方から副ローラ２７を出し入れすることができる開口部８４が設けられている。開口部８４は、掻寄架台３０の平行材２２の水平方向の設置間隔と同じに設けられ、平行材２２の設置数よりも一つ多く往復方向に複数形成されている。
【００２５】
また、ガイドユニット８０は、図４に示すように、副ガイドレール８３の下側フランジ８３ａにおける開口部８４の復動方向側、すなわち、汚泥ピット１０ａから遠い側の縁の近傍に、各開口部８４の下方に向いて延在する板状の下側案内フラップ８５を備えている。この下側案内フラップ８５は、開口部８４に対応する大きさを有すると共に、上下方向に揺動自在となっており、汚泥ピット１０ａから遠い側の下側に軸支されている。
【００２６】
そして下側案内フラップ８５は、水平位置から所定の角度を超えて下方に揺動しないように制限するためのストッパ８６と、下側案内フラップ８５を下方に付勢する引張バネ８７とによって、副ローラ２７による外力を受けない限り通常下方を向いて、ストッパ８６によって位置決めされている。ストッパ８６は副ガイドレール８３に設置され、引張バネ８７は副ガイドレール８３と下側案内フラップ８５に繋がれて設置されている。なお、引張バネを省略し、下部案内フラップの自重で作動するようにしてもよい。
【００２７】
ここで、所定の角度とは、第１の揺動位置とされる状態で、汚泥掻寄フライト１２が往動方向へ移動中には、副ローラ２７が下側案内フラップ８５の下面に当接可能であり、復動方向で副ローラ２７が下側案内フラップ８５の上面に当接可能である角度である。
【００２８】
そして、所定の角度とされた状態で、復動時に汚泥掻寄部１の支持アーム２５に設置されている副ローラ２７が下側案内フラップ８５の上面に当接した場合は、下側案内フラップ８５に沿って、副ローラ２７を副ガイドレール８３内に滑らかに案内する。また同様に、掻寄動作に入る往動時には、副ガイドレール８３内を移動していた副ローラ２７を下側案内フラップ８５の上面に沿って、滑らかに副ガイドレール８３の外へ案内する。
【００２９】
さらに副ガイドレール８３の下側フランジ８３ａの開口部８４における往動側、すなわち汚泥ピット１０ａに近い側には、開口部８４の上方に向かって上側案内フラップ８８が設置されている。上側案内フラップ８８は、開口部８４を覆うことができる程度の大きさであり、下側フランジ８３ａの往動側に軸支されていて、上下に揺動可能となっている。上側案内フラップ８８には外力が加えられていない状態では通常、上側フランジ８３ｂに接触した状態となり、そこから上方に揺動することはできないようになっている。また、往動側から副ガイドレール８３内を移動してきた副ローラ２７が通過する際には、図５に示すように副ローラ２７によって上側案内フラップ８８は押し倒されて下側に揺動する。そして、上側案内フラップ８８は、開口部８４を塞ぐ形で下側案内フラップ８５に接触すると、それより下側に揺動することはない。このとき、押し下げられた上側案内フラップ８８が開口部８４を塞いでいるため、副ローラ２７が開口部８４を通過することが可能となり、副ローラ２７が開口部８４を通過すると、圧縮バネ８９により押し戻されて通常の状態に戻り、上側フランジ８３ｂに接触した状態となる。なお、圧縮バネではなく、上部案内フラップ端部にカウンターウェイトを設けることで作動させてもよい。
【００３０】
また、再び往動方向へ移動方向が切り替わった際には、上側案内フラップ８８は上側フランジ８３ｂに接触してそれ以上上方へ揺動できないため、副ローラ２７が移動してきて副ガイドレール８３から外（下）へ案内される際には、上側案内フラップ８８が副ローラ２７の進行方向を遮ることにより、副ローラ２７をより円滑に副ガイドレール８３の外（下）へと案内することができる。
【００３１】
次に、スカム掻寄部２について説明する。スカム掻寄部２は、図１及び図２に示すように、スカムを掻き寄せるスカム掻寄体（浮上物掻寄体）４０を有している。
【００３２】
スカム掻寄体４０は、長手方向に垂直な断面が略台形状であり、槽１０の短手方向である幅方向に連続して延びている。台形の右側面４０ａがスカムを掻き寄せる掻寄面を構成しており、これに対向する左側面４０ｂの高さよりも高く設けられている。そして、台形の上面４０ｃは汚泥ピット１０ａから離れるに伴って上昇するように傾斜している。
【００３３】
スカム掻寄体４０は、浮力により水面１１に浮くことができる。このスカム掻寄体４０は、水面１１に浮くことができれば構成材料は限定されず、例えば、発泡スチロールやプラスチック、木材などから構成することができる。また、その形状も中実のものに限定されず、中空のものであってもよい。
【００３４】
上記した汚泥掻寄用の掻寄架台３０とスカム掻寄体４０とは、連動して往復動できるように連結部材９０により連結されている。
【００３５】
連結部材９０は、スカム掻寄体４０と汚泥掻寄部１の支持アーム２５とを連結している。この連結部材９０は、棒状部材９１と紐状部材９２とを有している。棒状部材９１は、例えば鋼製のものであって剛性を有しており、その一端が支持アーム２５の中央に回動可能に接続されている。棒状部材９１は、支持アーム２５が汚泥掻寄フライト１２により汚泥を掻き寄せる第１揺動位置にあるときに、駆動方向材２１よりも十分上方の所までの長さを有している。
【００３６】
棒状部材９１の他端には、紐状部材９２の一端が接続されている。この紐状部材９２は、例えば針金などのワイヤやロープ、釣り糸などの線状の部材から形成されており、可撓性を有している。紐状部材９２の他端は、スカム掻寄体４０まで延び、スカム掻寄体４０の下面４０ｄに接続されている。
【００３７】
棒状部材９１と紐状部材９２とを合わせた連結部材９０の長さは、次のように設計されている。すなわち、図１及び図４に示すように、支持アーム２５が反時計回りに下方に回動して、汚泥掻寄フライト１２により汚泥を掻き寄せる第１揺動位置（掻寄位置）にあるときには、スカムＳの掻き戻しがないように、スカム掻寄体４０を水中に水没させ、一方、図５及び図６に示すように、支持アーム２５が時計回りに上方に回動して、汚泥掻寄フライト１２が汚泥を掻き戻さないよう退避させた第２揺動位置（退避位置）にあるときには、スカムＳを掻き寄せられるようにスカム掻寄体４０が水面１１に浮上する高さに設計されている。
【００３８】
上記のように連結部材９０により支持アーム２５に連結されたスカム掻寄体４０が、槽１０の長手方向に複数設けられている。
【００３９】
次に、このような汚泥及びスカムの掻寄装置の作用及び効果について説明する。
【００４０】
まず、図６に示すように、掻寄架台３０が後退限位置まで後退し、往動方向に反転して汚泥掻寄を始める状態から説明する。
【００４１】
この状態でモータ５１が時計方向に回転すると、汚泥掻寄部１が往動方向に進み、副ローラ２７が開口部８４から出て副ガイドレール８３から離脱し、支持アーム２５が回動して第１の揺動位置に位置して、図４に示すように、汚泥掻寄フライト１２が汚泥を掻き寄せ可能となる。そして、モータ５１が時計方向に回転し続けると、汚泥掻寄フライト１２が汚泥を掻き寄せ、往動方向に汚泥を送る。この際、下側案内フラップ８５は、上側へ揺動可能であるため、隣の下側案内フラップ８５を通過する際には、副ローラ２７は下側案内フラップ８５下部と接触して押し上げて通過でき、そのまま汚泥を掻き寄せて、往動側に送ることができる。
【００４２】
開口部８４を支持アーム２５が通過し前進限位置に至ると、図１の状態に至り、モータ５１は逆に反時計方向に回転され、復動動作に入る。復動動作では、副ローラ２７は再び開口部８４に到達し、下側案内フラップ８５に接触すると、下側案内フラップ８５に沿って副ローラ２７は上側へ案内される。これと同時に支持アーム２５が時計回りに上方に回動し、支持アーム２５と共に汚泥掻寄フライト１２も上側へ移動して槽底１０ｂから離れ、図５に示すように、汚泥を掻き戻したり巻き上げたりしない状態になる。
【００４３】
開口部８４から副ガイドレール８３内に案内された副ローラ２７は、そのまま移動を続け、副ガイドレール８３内を案内されて隣の開口部８４へと到達する。
【００４４】
隣の開口部８４へ到達すると、副ローラ２７は上側案内フラップ８８に到達する。上側案内フラップ８８は下側に揺動することができるため、副ローラ２７はそのまま移動を続けると上側案内フラップ８８を押し下げて通過することができる。また上側案内フラップ８８は、副ローラ２７によって最大限下側に押し下げられた場合、開口部８４を塞ぐ形となるため、副ローラ２７が副ガイドレール８３から下に落ち込んでしまうことの無いように副ローラ２７を円滑に案内する。そして、副ローラ２７が開口部８４を通過した後、上側案内フラップ８８は圧縮バネ８９によって通常位置まで速やかに戻る。
【００４５】
開口部８４を通過すると、図６に示す状態に至り、モータ５１が時計方向に回転し、再び往動動作に戻る。そのため副ローラ２７は再度開口部８４に到達し、下側案内フラップ８５に案内されて副ガイドレール８３の外（下）方向に円滑に案内される。
【００４６】
これらの一連の動きによって、汚泥の掻寄状態である往動時には汚泥掻寄フライト１２を第１の揺動位置まで下げて汚泥を掻き寄せ、汚泥の掻寄状態でない復動時には汚泥掻寄フライト１２を第２の揺動位置まで上側に退避させ、汚泥を逆方向に掻き戻すことや、巻き上げる等を防止することができる。
【００４７】
上記した汚泥掻寄部１の往復動に連動して、スカム掻寄部２は往復動する。図１に示すように、スカム掻寄部２が前進限位置に到達して復動動作に入る状態から説明を始める。前進限位置では、図４に示すように、支持アーム２５が鉛直に垂下した第１の揺動位置にあるため、図１及び図７に示すように、スカム掻寄体４０は未だ水中に水没した状態にある。この状態で駆動装置５０により汚泥掻寄用の掻寄架台３０が復動方向に移動されると、連結部材９０によりスカム掻寄体４０が掻寄架台３０と連動して汚泥ピット１０ａから離れる方向に移動される。
【００４８】
そして、下側案内フラップ８５に沿って副ローラ２７が上側へ案内され、支持アーム２５が時計回りに上方に回動し、図５に示すように、汚泥掻寄フライト１２が汚泥を掻き戻したり巻き上げたりしない第２の揺動位置に位置すると、図６及び図８に示すように、スカム掻寄体４０が水面１１に浮上して、スカムＳを掻寄られる状態になる。
【００４９】
この状態で、汚泥掻寄部１が復動を続けることで、水面１１上をスカム掻寄体４０が復動方向（スカムの掻寄については往動方向）に移動し、水面１１にスカムパイプ２０に向けた流れが生じる。これにより、水面１１上のスカムＳをスカムパイプ２０に向けて掻き寄せることができる。
【００５０】
そして、図６に示すように、汚泥掻寄部１が後退限位置に至り、往動方向へ進行方向が転換されると、副ローラ２７が再度開口部８４に到達し、下側案内フラップ８５に案内されて副ガイドレール８３の外（下）方向に円滑に案内される。これにより、支持アーム２５が自重により反時計回りに回動し、汚泥を掻き寄せられる第１の揺動位置に位置する。このとき、スカム掻寄体４０が連結部材９０により下方に引っ張られて、スカム掻寄体４０が水中に没する。
【００５１】
そして、汚泥掻寄部１は前進限位置に到達するまで往動方向（スカムの掻寄については復動方向）への移動を続けるが、その間はスカム掻寄体４０が水中に没したままであるため、一度掻き寄せたスカムを掻き戻すことなく移動することができる。また、スカム掻寄体４０の上面は汚泥ピット１０ａから離れる方向に上昇するよう傾斜しているため、往動方向（スカムの掻寄については復動方向）への移動において、水中での抵抗を低減することができる。
【００５２】
このような一連の動作を繰り返し、汚泥の掻寄とスカムの掻寄が行われるのであるが、本実施形態に係る汚泥及びスカムの掻寄装置では、支持アーム２５に連結部材９０を介してスカム掻寄体４０を連結するだけの簡素な機構にも関わらず、汚泥の掻寄と連動しつつ水面１１のスカムＳを一方向に効果的に掻き寄せることができる。
【００５３】
また、連結部材９０は、棒状部材９１と紐状部材９２とを含むように構成されているため、紐状部材９２によりスカム掻寄体４０の移動や、水面１１への浮上及び水中への退避動作を滑らかにしつつ、棒状部材９１の剛性により汚泥を掻き寄せるための支持アーム２５周辺の機構に紐状部材９２が絡むという事態を防止することができる。
【００５４】
また、スカム掻寄体４０は、槽１０の短手方向に沿って延びているため、槽１０の水面１１全体についてスカムＳを効率的に掻き寄せることができる。
【００５５】
なお、本発明に係る堆積物及び浮上物の掻寄装置は、上記した実施形態に限定されることなく、種々の変形が可能である。
【００５６】
例えば、上記した実施形態では、スカム掻寄体４０は断面略台形状のものとして説明したが、スカム掻寄体４０の形状はこれに限定されることなく、例えば、図９、図１０のような翼状のものでも良い。このようにすれば、往動方向（スカムの掻寄については復動方向）への移動において、水中での抵抗を一層低減することができる。
【００５７】
また、連結部材９０は、全体を紐状部材９２から構成してもよい。このようにすれば、連結部材をより一層簡素化できる。
【図面の簡単な説明】
【００５８】
【図１】堆積物及び浮上物の掻寄装置を横方向から見た全体図である（前進限位置にある）。
【図２】図１の掻寄装置の側面模式図で、図１のII−II線矢視図である。
【図３】ガイドユニット近傍を示す拡大図である。
【図４】往動時の汚泥掻寄フライトの状態を示す模式図である。
【図５】復動時の汚泥掻寄フライトの状態を示す模式図である。
【図６】堆積物及び浮上物の掻寄装置を横方向から見た全体図である（後退限位置にある）。
【図７】復動時のスカム掻寄体の状態を示す模式図である。
【図８】往動時のスカム掻寄体の状態を示す模式図である。
【図９】スカム掻寄体の変形例を示す図である。
【図１０】スカム掻寄体の変形例を示す図である。
【符号の説明】
【００５９】
１…汚泥掻寄装置、２…スカム掻寄装置、１０…槽、１０ａ…汚泥ピット、１０ｂ…槽底、１０ｃ…槽側壁、１１…水面、１２…汚泥掻寄フライト、２０…スカムパイプ、２１…駆動方向材、２１ａ…結合板、２２…平行材、２２ａ…結合板、２３…バー、２４…主ローラ、２５…支持アーム、２６…アームストッパ、２７…副ローラ、３０…掻寄架台、４０…スカム掻寄体、５０…駆動装置、５１…モータ、５２…チェーン、５３…スプロケット、８０…ガイドユニット、８２…主ガイドレール、８３…副ガイドレール、８４…開口部、８５…下側案内フラップ、８７…引っ張りバネ、８８…上側案内フラップ、８９…圧縮バネ、９０…連結部材、９１…棒状部材、９２…紐状部材。
【図１】
2008080203.tif 000003
【図２】
2008080203.tif 000004
【図３】
2008080203.tif 000005
【図４】
2008080203.tif 000006
【図５】
2008080203.tif 000007
【図６】
2008080203.tif 000008
【図７】
2008080203.tif 000009
【図８】
2008080203.tif 000010
【図９】
2008080203.tif 000011
【図１０】
2008080203.tif 000012